(57)【特許請求の範囲】
【請求項１】
熱媒用のタンクに配管接続されたポンプおよびこのポンプの吐出側に第１流路を介して接続された熱媒加熱手段を有し、かつこの熱媒加熱手段を利用して加熱された熱媒が暖房端末に供給されてから前記タンクに戻されるように、前記熱媒を一定の経路で循環可能とする暖房用の熱媒循環流路と、
この熱媒循環流路のうちの前記熱媒加熱手段と前記暖房端末との間の流路に分岐接続され、かつ前記ポンプから送り出されて前記熱媒加熱手段を通過した熱媒を、前記暖房端末を経由させることなく前記タンクに戻すことが可能なバイパス流路と、
このバイパス流路に設けられた流量絞り手段と、
を備えている、温水暖房装置であって、
前記バイパス流路のうちの前記流量絞り手段よりも上流の位置に設けられ、かつ前記流量絞り手段側への熱媒流通を許容する一方、これとは反対向きの熱媒流通を阻止する逆止弁と、
前記第１流路を流通する熱媒の一部を、前記バイパス流路のうちの前記流量絞り手段よりも上流かつ前記逆止弁よりも下流の位置に流入させることが可能に、前記第１流路を前記バイパス流路に接続する補助流路と、
熱媒加熱用の気体から顕熱および潜熱をそれぞれ回収して前記熱媒を加熱することが可能な１次熱交換器および２次熱交換器と、
をさらに備えており、
前記ポンプに前記第１流路を介して接続される前記熱媒加熱手段として、前記１次熱交換器が用いられ、
前記２次熱交換器は、前記補助流路に設けられていることを特徴とする、温水暖房装置。
【請求項２】
請求項１に記載の温水暖房装置であって、
前記熱媒循環流路は、
前記第１流路から分岐し、かつ端部に低温暖房端末が接続可能な第２流路と、
前記熱媒加熱手段の下流側に接続され、かつ端部に高温暖房端末が接続可能な第３流路と、を備えており、
前記バイパス流路としては、
前記第３流路と前記第２流路とを接続し、かつ前記第３流路を流れる熱媒を前記第２流路に流入させることが可能な第１バイパス流路と、
前記第２流路に分岐接続され、かつこの第２流路に流れ込んだ熱媒を前記タンクに戻すことが可能な第２バイパス流路と、を備えており、
前記第２流路が、前記補助流路である、温水暖房装置。
【請求項３】
請求項２に記載の温水暖房装置であって、
前記逆止弁として、前記第１バイパス流路に設けられ、かつ前記第３流路から前記第２流路への熱媒流通を許容する一方、それとは反対向きの熱媒流通を阻止する逆止弁を備えている、温水暖房装置。
【請求項４】
請求項２または３に記載の温水暖房装置であって、
前記第２バイパス流路には、この第２バイパス流路を流通する熱媒の温度を検出するための温度センサが設けられている、温水暖房装置。
【発明の詳細な説明】
【技術分野】
【０００１】
本発明は、温水暖房装置に関する。
【背景技術】
【０００２】
温水暖房装置の一例として、タンクに貯留された熱媒が、ポンプを利用して一定の経路で循環され、熱媒加熱用の熱交換器および暖房端末に順次供給された後にタンクへ戻されるようにしたものがある（たとえば、特許文献１を参照）。このような構成の温水暖房装置においては、熱交換器に供給されて加熱された熱媒を、暖房端末を経由させることなくタンクに戻して循環させることが可能なバイパス流路が設けられるのが通例である。このバイパス流路には、たとえばオリフィスが設けられる。
このような構成によれば、暖房端末をオンとし、ポンプから暖房端末に熱媒を供給させる際に、余剰分の熱媒をバイパス流路に流れさせ、ポンプ吐出流量を確保することができる。ポンプ吐出流量が過小になると、熱交換器によって熱媒が所定温度以上に加熱されるなどの不具合があるが、バイパス流路を設けることによってそのような不具合を回避することが可能である。前記オリフィスは、バイパス流路に適度な流路抵抗を生じさせ、ポンプから吐出された熱媒がバイパス流路側へ集中して流れることにより、暖房端末には殆ど供給されなくなる不具合をなくすのに役立つ。
【０００３】
しかしながら、前記従来技術においては、次に述べるように、未だ改善すべき余地があった。
【０００４】
すなわち、前記した温水暖房装置においては、熱交換器を通過して加熱された高温の熱媒がバイパス流路に流れる構造となっている。このため、バイパス流路の熱媒流量が多い場合には、バイパス流路のオリフィス設置箇所においてキャビテーションが発生する虞があった。オリフィスは、流路内径を部分的に絞るものであるため、熱媒がオリフィスの設置箇所を流れる場合には、オリフィスの下流近傍領域のうち、流路の周囲側は、流路の中心側よりもかなり低圧となる現象を生じ、この圧力が飽和蒸気圧よりも低くなると、熱媒が沸騰する。このようなキャビテーションが発生すると、これに起因する異音も発生する。したがって、このようなキャビテーションを適切に防止することが要望される。
【先行技術文献】
【特許文献】
【０００５】
【特許文献１】特開平７−１０３４９５号公報
【発明の概要】
【発明が解決しようとする課題】
【０００６】
本発明は、前記したような事情のもとで考え出されたものであり、バイパス流路におけるオリフィスなどの流量絞り手段の設置箇所においてキャビテーションが発生することを好適に防止し得る温水暖房装置を提供することを、その課題としている。
【課題を解決するための手段】
【０００７】
上記の課題を解決するため、本発明では、次の技術的手段を講じている。
【０００８】
本発明により提供される温水暖房装置は、熱媒用のタンクに配管接続されたポンプおよびこのポンプの吐出側に第１流路を介して接続された熱媒加熱手段を有し、かつこの熱媒加熱手段を利用して加熱された熱媒が暖房端末に供給されてから前記タンクに戻されるように、前記熱媒を一定の経路で循環可能とする暖房用の熱媒循環流路と、この熱媒循環流路のうちの前記熱媒加熱手段と前記暖房端末との間の流路に分岐接続され、かつ前記ポンプから送り出されて前記熱媒加熱手段を通過した熱媒を、前記暖房端末を経由させることなく前記タンクに戻すことが可能なバイパス流路と、このバイパス流路に設けられた流量絞り手段と、を備えている、温水暖房装置であって、前記バイパス流路のうちの前記流量絞り手段よりも上流の位置に設けられ、かつ前記流量絞り手段側への熱媒流通を許容する一方、これとは反対向きの熱媒流通を阻止する逆止弁と、前記第１流路を流通する熱媒の一部を、前記バイパス流路のうちの前記流量絞り手段よりも上流かつ前記逆止弁よりも下流の位置に流入させることが可能に、前記第１流路を前記バイパス流路に接続する補助流路と、熱媒加熱用の気体から顕熱および潜熱をそれぞれ回収して前記熱媒を加熱することが可能な１次熱交換器および２次熱交換器と、をさらに備えており、前記ポンプに前記第１流路を介して接続される前記熱媒加熱手段として、前記１次熱交換器が用いられ、前記２次熱交換器は、前記補助流路に設けられていることを特徴としている。
【０００９】
このような構成によれば、次のような効果が得られる。
すなわち、熱媒加熱手段を通過して加熱された熱媒がバイパス流路を流通する際には、このバイパス流路の流量絞り位置よりも上流側の位置に、第１流路を流れていた熱媒の一部を、補助流路を介して流入させることができる。ここで、補助流路を介して流入される熱媒は、前記熱媒加熱手段によって未だ高温には加熱されていない熱媒である。したがって、この熱媒がバイパス流路に流入することによって、バイパス流路を流れる熱媒の温度が余り高温にならないようにすることができる。このように熱媒温度の高温化を阻止すれば、バイパス流路の流量絞り手段の設置箇所においてキャビテーションが発生しないようにし、これに伴う異音の発生も解消することが可能となる。
さらに、前記構成によれば、２次熱交換器を補助流路に本来的に必要とされる流路抵抗として利用し、補助流路の流路抵抗が過小であることに起因して熱媒加熱手段への熱媒供給が適切に行なえなくなるといった不具合を解消するのに好ましいものとなる。また、バイパス流路を利用して熱媒を循環させている際においても、２次熱交換器を利用した熱媒加熱が可能となるため、加熱効率を一層よくすることができる。
【００１０】
本発明において、好ましくは、前記熱媒循環流路は、前記第１流路から分岐し、かつ端部に低温暖房端末が接続可能な第２流路と、前記熱媒加熱手段の下流側に接続され、かつ端部に高温暖房端末が接続可能な第３流路と、を備えており、前記バイパス流路としては、前記第３流路と前記第２流路とを接続し、かつ前記第３流路を流れる熱媒を前記第２流路に流入させることが可能な第１バイパス流路と、前記第２流路に分岐接続され、かつこの第２流路に流れ込んだ熱媒を前記タンクに戻すことが可能な第２バイパス流路と、を備えており、前記第２流路が、前記補助流路である。
このような構成において、より好ましくは、前記逆止弁として、前記第１バイパス流路に設けられ、かつ前記第３流路から前記第２流路への熱媒流通を許容する一方、それとは反対向きの熱媒流通を阻止する逆止弁を備えている。
【００１１】
このような構成によれば、次のような効果がえられる。
第１に、高温暖房端末に対しては、熱媒加熱手段によって加熱された熱媒を、第３流路を介して供給することができる。一方、低温暖房端末に対しては、熱媒加熱手段によって加熱されて第３流路および第１バイパス流路を通過して第２流路に流れてきた熱媒と、熱媒加熱手段によって加熱されることなく第１流路から第２流路に流れてきた熱媒とが混合された状態の熱媒を供給することができる。したがって、高温暖房端末および低温暖房端末の双方に対し、適切な温度の熱媒を効率よく供給することができる。
第２に、低温暖房および高温暖房のいずれの場合においても、暖房端末に供給されない余剰分の熱媒については、第２バイパス流路、または第１バイパス流路と第２バイパス流路の双方を利用してタンクに戻し、循環させることができる。このため、装置を適正に運転するのに必要なポンプ吐出流量（ポンプ揚程）を適切に確保することもできる。
第３に、第２バイパス流路を流れる熱媒の温度と、低温暖房端末に供給される熱媒の温度とは同一となる。このため、後述するように、温度センサを用いて第２バイパス流路の熱媒の温度を検出すれば、低温暖房端末への熱媒供給開始前において、熱媒をバイパス循環させている際に、低温暖房端末への熱媒供給温度を判断することができるといった利点も得られる。
【００１２】
本発明において、好ましくは、前記第２バイパス流路には、この第２バイパス流路を流通する熱媒の温度を検出するための温度センサが設けられている。
【００１３】
このような構成によれば、次のような効果が得られる。
既述したように、第２バイパス流路を流通する熱媒の温度は、低温暖房端末に供給され
る熱媒の温度と同じであり、第２バイパス流路の熱媒温度を検出することにより、低温暖房端末への熱媒供給前において供給熱媒温度を察知することが可能である。このため、低温暖房端末に供給される熱媒の温度検出手段として、たとえば低温暖房端末の熱媒入口部分などの限定された箇所に温度センサを取り付ける場合とは異なり、温度センサの取り付けに際しては、第２バイパス流路のうち、温度センサの取り付けなどが容易な位置を適宜に選択してから、この選択した位置に温度センサを取り付ければよいこととなり、融通性に優れたものとなる。
【００１８】
本発明のその他の特徴および利点は、添付図面を参照して以下に行なう発明の実施の形態の説明から、より明らかになるであろう。
【図面の簡単な説明】
【００１９】
【図１】温水暖房装置の一例を示す説明図である。
【図２】本発明の例を示す説明図である。
【図３】温水暖房装置の他の例を示す説明図である。
【発明を実施するための形態】
【００２０】
以下、本発明の好ましい実施の形態について、図面を参照して具体的に説明する。
【００２１】
図１に示す温水暖房装置Ａは、熱媒を貯留するタンク３９（膨張タンク）、ポンプＰ、熱媒加熱装置１、低温暖房端末２Ａ、高温暖房端末２Ｂ、風呂追い焚き用の熱交換器３０、制御部４、およびその他の後述する機器を備えている。
低温暖房端末２Ａは、たとえば床暖房用のパネル装置であり、高温暖房端末２Ｂは、たとえば浴室乾燥機やファンコンベクタなどである。熱媒は、たとえば水である。ただし、不凍液を混ぜるようなことも可能である。
【００２２】
熱媒加熱装置１は、潜熱回収型の瞬間式湯沸器と同様な構成であり、バーナ１０、このバーナ１０により発生された燃焼ガスから顕熱および潜熱をそれぞれ回収する１次および２次の熱交換器１１，１２を備えている。図面においては、便宜上、１次および２次の熱交換器１１，１２がかなり離間した状態に示されているが、これらは互いに接近した配置
にあり、１次熱交換器１１を通過した後の燃焼ガスが２次熱交換器１２に供給されるようになっている。１次熱交換器１１は、本発明でいう熱媒加熱手段（ポンプの吐出側に第１流路を介して接続された熱媒加熱手段）の一例に相当する。２次熱交換器１２は省略することができる。
【００２３】
熱媒用の流路としては、第１ないし第３流路５１〜５３、戻り流路５９、これらを利用して構成された低温暖房用の熱媒循環流路５Ａ、高温暖房用の熱媒循環流路５Ｂ、ならびに第１および第２のバイパス流路７ａ，７ｂが設けられている。熱媒循環流路５Ａ，５Ｂは、一部重複している。
【００２４】
第１流路５１は、ポンプＰの吐出側と１次熱交換器１１とを接続する流路である。第２流路５２は、第１流路５１から分岐し、かつ端部に低温暖房端末２Ａが接続可能な流路である。この第２流路５２には、流量調整弁Ｖｃ、および開閉弁としての熱動弁Ｖａが設けられており、低温暖房端末２Ａは、熱動弁Ｖａの下流側部分に外部配管５８ａを介して接続される。流量調整弁Ｖｃは、第２流路５２に適度な流路抵抗を生じさせることにより、第１流路５１の熱媒が第２流路５２に多く流れ込み、１次熱交換器１１への熱媒の流れ込みが困難になるといった不具合を回避するのに役立つ。第３流路５３は、１次熱交換器１１の下流側に繋がり、かつ端部に高温暖房端末２Ｂが接続可能な流路である。この第３流路５３にも、開閉弁としての熱動弁Ｖｂが設けられており、高温暖房端末２Ｂは、この熱動弁Ｖｂの下流側部分に外部配管５８ｂを介して接続される。
【００２５】
低温暖房用の熱媒循環流路５Ａは、タンク３９の熱媒が、ポンプＰにより第１流路５１に送り出された後に、第２流路５２から低温暖房端末２Ａに送られ、その後は戻り流路５９を介してタンク３９に戻される循環流路である。ただし、低温暖房端末２Ａには、第１バイパス流路７ａを介して第３流路５３から第２流路５２に流れた熱媒も供給される。高温暖房用の熱媒循環流路５Ｂは、タンク３９の熱媒が、ポンプＰにより第１流路５１に送り出され、１次熱交換器１１を通過して加熱された後に、第３流路５３を通過して高温暖房端末２Ｂに送られ、その後は戻り流路５９を介してタンク３９に戻される循環流路である。熱媒は、戻り流路５９に流れ込んだ際には、２次熱交換器１２によっても加熱される。
【００２６】
第１バイパス流路７ａは、既述したように、第３流路５３を流通する熱媒を第２流路５２に流れ込ませるための流路であり、それら２つの流路を接続している。第２流路５２における第１バイパス流路７ａの接続位置は、流量調整弁Ｖｃと熱動弁Ｖａとの間の領域である。第１バイパス流路７ａには、第２流路５２から第３流路５３への逆流を防止する逆止弁Ｖｄが設けられている。
【００２７】
第２バイパス流路７ｂは、第２流路５２に分岐接続され、かつこの第２流路５２を流通する熱媒をタンク３９に戻すことを可能とする流路である。第２流路５２における第２バイパス流路７ｂの接続位置は、第１バイパス流路７ａと同様に、流量調整弁Ｖｃと熱動弁Ｖａとの間の位置である。したがって、第１バイパス流路７ａを介して第２流路５２に流れ込んだ熱媒についても、タンク３９に戻すことが可能である。
第２バイパス流路７ｂには、オリフィス６が設けられている。このオリフィス６は、本発明でいう流量絞り手段の一例に相当し、第２バイパス流路７ｂに流路抵抗を生じさせる。仮に、第２バイパス流路７ｂに流路抵抗がないとすると、熱動弁Ｖａが開状態となっているにも拘わらず、第２流路５２の殆どの熱媒は第２バイパス流路７ｂに流れてしまい、低温暖房端末２Ａには流れなくなる不具合が生じる。オリフィス６は、このような不具合を防止するのに役立つ。
【００２８】
第２流路５２は、第１流路５１を流れる熱媒、すなわちポンプＰから吐出され、かつ１
次熱交換器１１に未供給状態の熱媒を第２バイパス流路７ｂに流入させる。したがって、この第２流路５２は、本発明でいう補助流路の一例に相当する。
【００２９】
第３流路５３の上流寄り部分には、風呂追い焚き用の熱交換器３０、流量調整弁３１、および熱媒循環流路用オリフィス３２を有する配管部が別途分岐接続されている。風呂追い焚き用の熱交換器３０には、浴槽（図示略）の湯水が組み上げられて供給され、浴槽の湯水と熱媒との熱交換により湯水が加熱される。加熱された湯水は、浴槽に戻される。流量調整弁３１は、風呂追い焚き用の熱交換器３０への熱媒流入量を調整するためのものである。熱媒循環流路用オリフィス３２は、往き流路５０に適度な流路抵抗をもたせるためのものである。風呂追い焚き用の熱交換器３０を通過する熱媒流量はさほど多くはなく、またこの熱交換器３０を通過した後の熱媒は温度が低下しているため、本来的に、このオリフィス３２の設置箇所においてキャビテーションが発生する虞は殆どない。この熱媒循環流路用オリフィス３２は、本発明でいう流路絞り手段には相当しない。
【００３０】
制御部４は、熱媒温度流量調整弁Ｖｃや熱動弁Ｖａ，Ｖｂの制御、およびバーナ１０の駆動制御など、温水暖房装置Ａの各部の動作制御や種々のデータ処理を行なうためのであり、マイクロコンピュータなどを用いて構成されている。制御部４によって監視される熱媒温度の検出手段としては、たとえば１次熱交換器１１の出口側の熱媒温度を検出するための温度センサＳａ、第２バイパス流路７ｂの熱媒温度を検出するための温度センサＳｂ、およびタンク３９の熱媒温度を検出するための温度センサＳｃなどがある。
【００３１】
次に、前記した温水暖房装置Ａの作用について説明する。
【００３２】
まず、低温暖房端末２Ａおよび高温暖房端末２Ｂを運転させる際には、ポンプＰの駆動開始と同時に、熱動弁Ｖａ，Ｖｂをオンにするが、熱動弁Ｖａ，Ｖｂが全開状態に到るには、たとえば１分程度の時間を要する。それ迄の期間中においては、ポンプＰから吐出されて第２流路５２および第３流路５３に流れてきた熱媒を、第１および第２のバイパス流路７ａ，７ｂに流れさせてタンク３９に戻すことができる。このことにより、ポンプ圧によって熱媒圧力が異常上昇するなどの不具合を防止することができる。
【００３３】
第１および第２のバイパス流路７ａ，７ｂに熱媒が流れる場合、第２バイパス流路７ｂには、１次熱交換器１１を通過して第３流路５３を流れる熱媒のみならず、第１流路５１中の未だ１次熱交換器１１に供給されていない熱媒が第２流路５２（補助流路）から流れ込む。このため、第２バイパス流路７ｂを流れる熱媒の温度が余り高温にならないようにすることができる。一方、オリフィス６においてキャビテーションが発生するのは、オリフィス６を通過する熱媒が高温かつ多流量である場合である。本実施形態によれば、オリフィス６を通過する熱媒の高温化を阻止することができるため、オリフィス６の設置箇所においてキャビテーションが発生しないようにすることができる。
【００３４】
高温暖房端末２Ｂの運転時においては、１次熱交換器１１を利用して高温（たとえば８０℃程度）に加熱された熱媒が、第３流路５３を介して高温暖房端末２Ｂに供給される。第２流路５２の熱媒が、第１バイパス流路７ａを介して第３流路５３に流れ込むことは、逆止弁Ｖｄによって適切に防止される。このため、高温暖房端末２Ｂに供給される熱媒の温度は、１次熱交換器１１の出口温度（温度センサＳａを利用して検出される温度）と同一にすることができ、その温度制御が容易となる。
【００３５】
低温暖房端末２Ａの運転時には、第１流路５１から第２流路５２に流れ込んだ熱媒と、第３流路５３から第１バイパス流路７ａを介して第２流路５２に流れ込んだ熱媒とが混合したやや低温気味（たとえば６０℃程度）の熱媒が低温暖房端末２Ａに供給される。この低温暖房端末２Ａに供給される熱媒は、第２バイパス流路７ｂを流れる熱媒と同一温度で
ある。したがって、第２バイパス流路７ｂの熱媒温度を、温度センサＳｂを利用して監視し、この温度を所望温度となるように制御すれば、低温暖房端末２Ａの温度制御を的確に行なうことが可能となる。また、第２バイパス流路７ｂの熱媒温度を監視すれば、低温暖房端末２Ａに供給される熱媒の温度を、熱動弁Ｖａが実際に開く前の時期に察知することが可能である。温度センサＳｂは、第２バイパス流路７ｂのいずれの箇所に設けてもよく、特定部位に限定されないため、温度センサＳｂの取り付け融通性にも優れる。
【００３６】
温度センサＳｂで検出される第２バイパス流路７ｂの熱媒温度をＴｂとし、温度センサＳｃで検出されるタンク３９の熱媒温度をＴｃとした場合、本来ならば、Ｔｂ≧Ｔｃとなる。第２バイパス流路７ｂには、タンク３９から送り出された熱媒に、１次熱交換器１１によって加熱された熱媒が加わったものが流れるからである。ただし、逆止弁Ｖｄが故障し、第２バイパス流路７ｂに１次熱交換器１１によって加熱された熱媒が加わらない状態となった場合には、Ｔｂ＝Ｔｃの関係、またはＴｂ≒Ｔｃの関係となる。したがって、前記した温度Ｔｂ，Ｔｃを監視しておき、温度Ｔｂ，Ｔｃの差が所定以下の小さい値になった場合には、逆止弁Ｖｄが故障であると判断するような制御を行なうこともできる。
【００３７】
図２は、本発明の実施形態を示し、図３は、温水暖房装置の他の例を示している。これらの図において、前記実施形態と同一または類似の要素には、前記実施形態と同一の符号を付すこととし、重複説明は省略する。
【００３８】
図２に示す温水暖房装置Ａａにおいては、第２流路５２（補助流路）に２次熱交換器１２が設けられている。より詳しくは、２次熱交換器１２は、第２流路５２のうち、流量調整弁Ｖｃと第１バイパス流路７ａの接続箇所との相互間の位置に設けられている。
【００３９】
本実施形態においては、２次熱交換器１２を通過して加熱された熱媒が第２バイパス流路７ｂに流入する。ただし、２次熱交換器１２は、１次熱交換器１１と比較すると、熱媒加熱量は少ない。また、２次熱交換器１２の出口温度は、低温暖房端末２Ａに対応するようにたとえば６０℃程度に制御される。したがって、第２流路５２に２次熱交換器１２を設けた場合であっても、第２バイパス流路７ｂを流れる熱媒の温度が余り高温にならないようにし、オリフィス６におけるキャビテーションを防止する効果が得られる。
【００４０】
なお、本実施形態では、２次熱交換器１２が第２流路５２における流路抵抗となる。１次熱交換器１１に熱媒を流入させるには、第２流路５２に適度な流路抵抗が必要であるが、その流路抵抗を発生させる要素として、２次熱交換器１２が有効に利用されている。図１に示した先の実施形態においては、２次熱交換器１２が戻し流路５９に設けられ、かつ第２流路５２については流量調整弁Ｖｃを利用して適度な流路抵抗を発生させる構成とされているが、このような構成と比較すると、本実施形態の方が全体の流路抵抗を小さくし、ポンプＰの稼働時の圧力損失を少なくすることが可能である。また、本実施形態によれば、流量調整弁Ｖｃについては、熱媒の流量を大きく絞った状態に維持させておく必要がなくなり、流量調整弁Ｖｃを利用した流量調整の幅を大きくとることができるといった利点も得られる。さらに、本実施形態においては、熱動弁Ｖａ，Ｖｂが閉状態にあり、ポンプＰから吐出された熱媒が第１および第２のバイパス流路７ａ，７ｂを流通して一定の経路で循環している際においても、２次熱交換器１２を利用した熱媒加熱が可能である。図１の実施形態では、熱動弁Ｖａ，Ｖｂの閉状態時には、２次熱交換器１２を利用した熱媒加熱が困難であるが、本実施形態においては、そのような際にも２次熱交換器１２を利用した熱媒加熱が可能であるため、熱媒加熱に際しての熱効率もよくなる。
オリフィス６のみで流路内径を絞る場合と比較すると、２次熱交換器１２自体が流路抵抗となっているため、オリフィス６における流路の絞り量を少なくすることが可能であり、キャビテーションの発生が起こり難いという効果もある。
【００４１】
図３に示す温水暖房装置Ａｂにおいては、バイパス流路７ｃが、１次熱交換器１１の下流側の第３流路５３と戻り流路５９とを接続するように設けられている。補助流路８は、第１流路５１から分岐しており、バイパス流路７ｃのうちのオリフィス６よりも上流側の位置に、第１流路５１の熱媒の一部を流れ込ませることが可能に設けられている。
【００４２】
本発明は、上述した実施形態の内容に限定されない。本発明に係る温水暖房装置の各部の具体的な構成は、本発明の意図する範囲内において種々に設計変更自在である。
【００４３】
本発明でいう流量絞り手段としては、オリフィスに代えて、流量調整弁を用いることもできる。流量調整弁においても、流量を絞った場合にはオリフィスと同様にキャビテーションが発生する虞があり、本発明はそのような虞を解消するのに役立つ。
【００４４】
暖房端末としては、必ずしも高温および低温の２種類の暖房端末が接続可能でなくてもよく、少なくとも１つの暖房端末が接続可能な構成であれば本発明を適用することができる。暖房端末の具体的な種類も問わない。熱媒の具体的な成分なども限定されない。熱媒加熱手段は、熱媒加熱機能を備えていればよく、たとえば貯湯タンクの湯水を利用し、この湯水と熱媒との熱交換により熱媒を加熱するタイプの熱交換器を用いるようなこともできる。
【符号の説明】
【００４５】
Ａ，Ａａ，Ａｂ  温水暖房装置
Ｐ  ポンプ
１１  １次熱交換器（熱媒加熱手段）
１２  ２次熱交換器
２Ａ  低温暖房端末
２Ｂ  高温暖房端末
３９  タンク
５Ａ，５Ｂ  熱媒循環流路
５１  第１流路
５２  第２流路（補助流路）
５３  第３流路
６  オリフィス
７ａ  第１バイパス流路（バイパス流路）
７ｂ  第２バイパス流路（バイパス流路）
７ｃ  バイパス流路
８  補助流路
【図１】
0006548143.tif 000002
【図２】
0006548143.tif 000003
【図３】
0006548143.tif 000004